(57)【特許請求の範囲】
【請求項１】
ワイヤレス通信装置が実行する、ワイヤレス通信方法であって、
複数のコードワードを受信することと、
前記受信された複数のコードワードに対する確認応答をバンドルすることによって、ダウンリンクフィードバックメッセージを送信することと、
ワイヤレス端末を、フィードバック応答を提供するように構成するための構成データを送信することと、
を備える、方法。
【請求項２】
付随するアップリンク許可メッセージを送信すること、
をさらに含む、請求項１に記載の方法。
【請求項３】
前記アップリンク許可メッセージはマルチ入力マルチ出力（ＭＩＭＯ）ダウンリンク制御情報（ＤＣＩ）メッセージを含む、請求項２に記載の方法。
【請求項４】
前記アップリンク許可メッセージは単一転送ブロック（ＴＢ）許可ダウンリンク制御情報（ＤＣＩ）メッセージを含む、請求項２に記載の方法。
【請求項５】
前記送信することは、複数の物理ハイブリッド自動再送要求（ＡＲＱ）インジケータチャネル（ＰＨＩＣＨ）において確認応答をバンドルすることによって前記ダウンリンクフィードバックメッセージを送信することを含む、請求項１に記載の方法。
【請求項６】
ワイヤレス通信装置であって、
複数のコードワードを受信するための手段と、
前記受信された複数のコードワードに対する確認応答をバンドルすることによって、ダウンリンクフィードバックメッセージを送信するための手段と、
ワイヤレス端末を、フィードバック応答を提供するように構成するための構成データを送信するための手段と、
を備える、装置。
【請求項７】
付随するアップリンク許可メッセージを送信するための手段、
をさらに含む、請求項６に記載の装置。
【請求項８】
前記アップリンク許可メッセージはマルチ入力マルチ出力（ＭＩＭＯ）ダウンリンク制御情報（ＤＣＩ）メッセージを含む、請求項７に記載の装置。
【請求項９】
前記アップリンク許可メッセージは単一転送ブロック（ＴＢ）許可ダウンリンク制御情報（ＤＣＩ）メッセージを含む、請求項７に記載の装置。
【請求項１０】
前記送信するための手段は、複数の物理ハイブリッド自動再送要求（ＡＲＱ）インジケータチャネル（ＰＨＩＣＨ）において確認応答をバンドルすることによって前記ダウンリンクフィードバックメッセージを送信することを含む、請求項６に記載の装置。
【請求項１１】
複数のコードワードを受信する手順と、
前記受信された複数のコードワードに対する確認応答をバンドルすることによって、ダウンリンクフィードバックメッセージを送信する手順と、
ワイヤレス端末を、フィードバック応答を提供するように構成するための構成データを送信する手順と、
をコンピュータに実行させるためのプログラム。
【請求項１２】
ワイヤレス通信のためのプロセッサであって、
複数のコードワードを受信し、
前記受信された複数のコードワードに対する確認応答をバンドルすることによって、ダウンリンクフィードバックメッセージを送信し、
ワイヤレス端末を、フィードバック応答を提供するように構成するための構成データを送信するように、
構成された、プロセッサ。
【請求項１３】
ワイヤレス通信装置が実行する、ワイヤレス通信方法であって、
複数のコードワードを送信することと、
前記送信された複数のコードワードに対するバンドルされた確認応答を含むダウンリンクフィードバックメッセージを受信することと、
ワイヤレス端末を、フィードバック応答を提供するように構成するための構成データを受信することと、
を備える、方法。
【請求項１４】
前記受信されたダウンリンクフィードバックメッセージに基づいて前記複数のコードワードのうちの少なくとも１つを再送信するか否かを判定すること、
をさらに含む、請求項１３に記載の方法。
【請求項１５】
付随するアップリンク許可メッセージを受信すること、
をさらに含む、請求項１３に記載の方法。
【請求項１６】
前記アップリンク許可メッセージはマルチ入力マルチ出力（ＭＩＭＯ）ダウンリンク制御情報（ＤＣＩ）メッセージを含む、請求項１５に記載の方法。
【請求項１７】
前記アップリンク許可メッセージは単一転送ブロック（ＴＢ）許可ダウンリンク制御情報（ＤＣＩ）メッセージを含む、請求項１５に記載の方法。
【請求項１８】
前記バンドルされた確認応答の１つがＮＡＫを含む場合、前記受信されたアップリンク許可メッセージにおいて指示された送信フォーマットを使用して対応するコードワードを再送信すること、
をさらに含む、請求項１７に記載の方法。
【請求項１９】
前記受信することは、複数の物理ハイブリッド自動再送要求（ＡＲＱ）インジケータチャネル（ＰＨＩＣＨ）においてバンドルされた確認応答を含む前記ダウンリンクフィードバックメッセージを受信することを含む、請求項１３に記載の方法。
【請求項２０】
前記受信されたダウンリンクフィードバックメッセージに基づいて前記複数のコードワードのうちの少なくとも１つを再送信するか否かを判定すること、
をさらに含む、請求項１３に記載の方法。
【請求項２１】
付随するアップリンク許可メッセージを受信すること、
をさらに含む、請求項１５に記載の方法。
【請求項２２】
前記アップリンク許可メッセージは、マルチ入力マルチ出力（ＭＩＭＯ）ダウンリンク制御情報（ＤＣＩ）メッセージを含む、請求項２１に記載の方法。
【請求項２３】
前記アップリンク許可メッセージは、単一転送ブロック（ＴＢ）許可ダウンリンク制御情報（ＤＣＩ）メッセージを含む、請求項２１に記載の方法。
【請求項２４】
前記バンドルされた確認応答の１つがＮＡＫを含む場合、前記受信されたアップリンク許可メッセージにおいて指示された送信フォーマットを使用して対応するコードワードを再送信すること、
をさらに含む、請求項２３に記載の方法。
【請求項２５】
前記受信することは、複数の物理ハイブリッド自動再送要求（ＡＲＱ）インジケータチャネル（ＰＨＩＣＨ）においてバンドルされた確認応答を含む前記ダウンリンクフィードバックメッセージを受信することを含む、請求項１９に記載の方法。
【請求項２６】
ワイヤレス通信装置であって、
複数のコードワードを送信するための手段と、
前記送信された複数のコードワードに対するバンドルされた確認応答を含むダウンリンクフィードバックメッセージを受信するための手段と、
ワイヤレス端末を、フィードバック応答を提供するように構成するための構成データを受信するための手段と、
を備える、装置。
【請求項２７】
前記受信されたダウンリンクフィードバックメッセージに基づいて前記複数のコードワードのうちの少なくとも１つを再送信するか否かを決定するための手段、
をさらに含む、請求項２６に記載の装置。
【請求項２８】
付随するアップリンク許可メッセージを受信するための手段、
をさらに含む、請求項２６に記載の装置。
【請求項２９】
前記アップリンク許可メッセージは、マルチ入力マルチ出力（ＭＩＭＯ）ダウンリンク制御情報（ＤＣＩ）メッセージを含む、請求項２８に記載の装置。
【請求項３０】
前記アップリンク許可メッセージは単一転送ブロック（ＴＢ）許可ダウンリンク制御情報（ＤＣＩ）メッセージを含む、請求項２８に記載の装置。
【請求項３１】
前記バンドルされた確認応答の１つがＮＡＫを含む場合、前記受信されたアップリンク許可メッセージにおいて指示された送信フォーマットを使用して対応するコードワードを再送信するための手段、
をさらに含む、請求項３０に記載の装置。
【請求項３２】
前記受信するための手段は、複数の物理ハイブリッド自動再送要求（ＡＲＱ）インジケータチャネル（ＰＨＩＣＨ）においてバンドルされた確認応答を含む前記ダウンリンクフィードバックメッセージを受信するための手段を含む、請求項２６に記載の装置。
【請求項３３】
前記受信されたダウンリンクフィードバックメッセージに基づいて前記複数のコードワードのうちの少なくとも１つを再送信するか否かを判定するための手段、
をさらに含む、請求項２６に記載の装置。
【請求項３４】
付随するアップリンク許可メッセージを受信するための手段、
をさらに含む、請求項２８に記載の装置。
【請求項３５】
前記アップリンク許可メッセージは、マルチ入力マルチ出力（ＭＩＭＯ）ダウンリンク制御情報（ＤＣＩ）メッセージを含む、請求項３４に記載の装置。
【請求項３６】
前記アップリンク許可メッセージは、単一転送ブロック（ＴＢ）許可ダウンリンク制御情報（ＤＣＩ）メッセージを含む、請求項３４に記載の装置。
【請求項３７】
前記バンドルされた確認応答の１つがＮＡＫを含む場合、前記受信されたアップリンク許可メッセージにおいて指示された送信フォーマットを使用して対応するコードワードを再送信するための手段、
をさらに含む、請求項３６に記載の装置。
【請求項３８】
前記受信するための手段は、複数の物理ハイブリッド自動再送要求（ＡＲＱ）インジケータチャネル（ＰＨＩＣＨ）においてバンドルされた確認応答を含む前記ダウンリンクフィードバックメッセージを受信することを含む、請求項２６に記載の装置。
【請求項３９】
複数のコードワードを送信する手順と、
前記送信された複数のコードワードに対するバンドルされた確認応答を含むダウンリンクフィードバックメッセージを受信する手順と、
ワイヤレス端末を、フィードバック応答を提供するように構成するための構成データを受信する手順と、
をコンピュータに実行させるためのプログラム。
【請求項４０】
ワイヤレス通信のためのプロセッサであって、
複数のコードワードを送信し、
前記送信された複数のコードワードに対するバンドルされた確認応答を含むダウンリンクフィードバックメッセージを受信し、
ワイヤレス端末を、フィードバック応答を提供するように構成するための構成データを受信する、
ように構成された、プロセッサ。
【発明の詳細な説明】
【関連出願の相互参照】
【０００１】
本願は、２０１０年４月５日に出願された「アップリンクマルチ入力マルチ出力ワイヤレスのための通信システムのための確認応答バンドリングを容易にする方法および装置(METHOD AND APPARATUS THAT FACILITATES ACKNOWLEDGEMENT BUNDLING FOR UPLINK MULTIPLE-IN-MULTIPLE-OUT WIRELESS COMMUNICATION SYSTEMS)」と題する米国仮特許出願第６１／３２１，０５７号、および、２０１０年１０月４日に出願された「アップリンクＭＩＭＯスケジューリングのためのコンパクトダウンリンク制御チャネルフォーマット(COMPACT DOWNLINK CONTROL CHANNEL FORMAT FOR UPLINK MIMO SCHEDULING)」と題する米国仮特許出願第６１／３８９，５４９号からの優先権の利益を主張し、これらの各々は参照によりその全体が本明細書に組み込まれる。
【背景】
【０００２】
Ｉ．分野
以下の記載は、一般的にはワイヤレス通信に関し、より詳細にはワイヤレス通信システムにおけるチャネル状態情報基準信号(channel state information reference signal)の使用に関する。
【０００３】
ＩＩ．関連背景
ワイヤレス通信ステムは、音声、データなどさまざまなタイプの通信内容を提供するために広範に配備されている。これらのシステムは、利用可能なシステムリソース（例えば、帯域幅および送信電力）を共有することによって複数のユーザによる通信をサポートすることが可能な多元接続システム(multiple-access systems)である場合がある。このような多元接続システムの例は、符号分割多元接続（ＣＤＭＡ）システム、時分割多元接続（ＴＤＭＡ）システム、周波数分割多元接続（ＦＤＭＡ）システム、３ＧＰＰロングタームエボリューション(3GPP Long Term Evolution)（ＬＴＥ）システム、および直交周波数分割多元接続（ＯＦＤＭＡ）システムを含む。
【０００４】
一般的に、ワイヤレス多元接続通信システムは、複数のワイヤレス端末に対して通信を同時にサポートすることができる。各端末は、順方向リンクおよび逆方向リンク上での送信を介して１つまたは複数の基地局と通信する。順方向リンク（またはダウンリンク）とは、基地局から端末への通信リンクを指し、逆方向リンク（またはアップリンク）とは、端末から基地局への通信リンクを指す。この通信リンクは、単一入力単一出力(single-in-single-out)、マルチ入力単一出力(multiple-in-single-out)、またはマルチ入力マルチ出力(multiple-in-multiple-out)（ＭＩＭＯ）システムを介して確立されることができる。
【０００５】
ＭＩＭＯシステムは、データ伝送のために複数の（ＮT本の）送信アンテナと複数の（ＮR本の）受信アンテナとを利用する。ＮT本の送信アンテナおよびＮR本の受信アンテナによって形成されるＭＩＭＯチャネルは、ＮS個の独立したチャネルに分解されることができ、これは空間チャネル(spatial channels)とも称され、ここで、Ｎｓ≦ｍｉｎ｛ＮT，ＮR｝である。ＮS個の独立したチャネルの各々は次元(dimension)に対応する。ＭＩＭＯシステムは、複数の送信アンテナおよび受信アンテナによって作成される(created)追加の次元(additional dimensionalities)が利用される場合にパフォーマンスの向上（例えば、より高いスループットおよび／またはより優れた信頼性）を提供することができる。
【０００６】
加えて、基地局またはワイヤレス端末は、ワイヤレスシステムのパフォーマンスを維持または向上させるために、基準信号を送信することができる。基準信号は通常、受信機が事前に分かっている信号である。受信側デバイスは基準信号を受信することができ、受信された基準信号に基づいて、特定の動作パラメータ(certain operational parameters)を変更するか、またはワイヤレス通信の特定の動作パラメータを変更するためにフィードバックを生成することができる。このように基準信号は有用であり得るが、基準信号の送信はデータまたは制御信号など他の有用な信号から帯域幅を奪うことになり得る。ワイヤレスデータ帯域幅に対する需要が増大するにつれて、既存の基準信号を効率的に使用することがより強く求められる。さらに、新たな基準信号に対しての送信リソースの割り当て (assignment)によって、場合によっては前から存在する基準信号またはデータ信号に対して利用可能な送信リソースが減少し得る。さらに、レガシユーザ機器(legacy user equipment)がデータ送信を期待している場合がある送信リソースを使用して新たな基準信号が送信される場合がある。
【発明の概要】
【０００７】
本開示において提供されるシステムおよび方法は、上記で説明された必要などを満たす。簡潔に、かつ概略的には、開示される設計は、１つの態様において、ダウンリンク方向における送信のために、アップリンク方向において受信される複数のコードワード(a plurality of codewords)に対する確認応答(acknowledgments)を、空間的にバンドルするための技法(techniques for spatially bundling)を実行する。いくつかの開示される設計において、付随するアップリンク許可メッセージ(accompanying uplink grant message)が、ダウンリンク方向において送信される。
【０００８】
以下は、このような技法と実施形態との基本的な理解を提供するために、１つまたは複数の実施形態の簡略化された概要を提示する。この概要は、すべての意図される実施形態の詳細な通覧ではなく、すべての実施形態の主要なまたは重要な要素を特定せず、任意のまたはすべての実施形態の範囲を画定するものでもない。その唯一の目的は、後に提示されるより詳細な説明への前置きとして１つまたは複数の実施形態のいくつかの構想を簡略化された形態で提示することである。
【０００９】
１つの例示的な態様では、ワイヤレス通信のための方法は、複数のコードワードを受信することと、受信された複数のコードワードに対する確認応答を空間的にバンドルすることによってダウンリンクフィードバックメッセージを送信することとを備える。
【００１０】
別の例示的な態様では、ワイヤレス通信のための装置は、複数のコードワードを受信するための手段と、受信された複数のコードワードに対する確認応答を空間的にバンドルすることによってダウンリンクフィードバックメッセージを送信するための手段とを備える。
【００１１】
さらに別の例示的な態様では、コンピュータ実行可能命令を記憶するコンピュータ可読不揮発性媒体を備えるコンピュータプログラム製品が開示される。命令は、複数のコードワードを受信し、受信された複数のコードワードに対する確認応答を空間的にバンドルすることによってダウンリンクフィードバックメッセージを送信するためのコードを備える。
【００１２】
さらに別の例示的な態様では、ワイヤレス通信プロセッサが開示される。ワイヤレスプロセッサは、複数のコードワードを受信する動作と、受信された複数のコードワードに対する確認応答を空間的にバンドルすることによってダウンリンクフィードバックメッセージを送信する動作とを実行するように構成される。
【００１３】
さらに別の例示的な態様では、ワイヤレス通信システムにおいて送信リソースを割り振る方法は、第１のフィールドと第２のフィールドとを含む第１のメッセージを送信することと、第２のメッセージ内で、第１のメッセージ内の第１のフィールドと第２のフィールドとの値に基づいて、第１のコードワードと第２のコードワードとのうちの送信されるべき一方をシグナリングする(signaling)こととを含む。
【００１４】
さらに別の例示的な態様では、ワイヤレス通信システムのための装置は、ワイヤレス通信システムにおいて送信リソースを割り当てるための手段(means for allocating transmission resources)を含み、第１のフィールドと第２のフィールドとを含む第１のメッセージを送信することと、第２のメッセージ内で、第１のメッセージ内の第１のフィールドと第２のフィールドとの値に基づいて、第１のコードワードと第２のコードワードとのうちの送信されるべき一方をシグナリングすることとを含む。
【００１５】
さらに別の例示的な態様では、コンピュータ実行可能命令を記憶する不揮発性コンピュータ可読媒体を備えるコンピュータプログラム製品が開示される。命令は、第１のフィールドと第２のフィールドとを含む第１のメッセージを送信するととともに、第２のメッセージ内で、第１のメッセージ内の第１のフィールドと第２のフィールドとの値に基づいて、第１のコードワードと第２のコードワードとのうちの送信されるべき一方をシグナリングするためのコードを含む。
【００１６】
さらに別の例示的な態様では、ワイヤレス通信システムにおいて送信リソースを割り振るためのプロセッサが開示される。プロセッサは、第１のフィールドと第２のフィールドとを含む第１のメッセージを送信するととともに、第２のメッセージ内で、第１のメッセージ内の第１のフィールドと第２のフィールドとの値に基づいて、第１のコードワードと第２のコードワードとのうちの送信されるべき一方をシグナリングするように構成される。
【００１７】
さらに別の例示的な態様では、ワイヤレス通信の方法は、複数のコードワードを送信することと、送信された複数のコードワードに対する空間的にバンドルされた確認応答を含むダウンリンクフィードバックメッセージを受信することとを含む。
【００１８】
さらに別の例示的な態様では、ワイヤレス通信装置は、複数のコードワードを送信するための手段と、送信された複数のコードワードに対する空間的にバンドルされた確認応答を含むダウンリンクフィードバックメッセージを受信するための手段とを備える。
【００１９】
さらに別の例示的な態様では、コンピュータプログラム製品は、コンピュータ実行可能命令を記憶するコンピュータ可読不揮発性媒体を備えるが開示される。命令は、複数のコードワードを送信し、送信された複数のコードワードに対する空間的にバンドルされた確認応答を含むダウンリンクフィードバックメッセージを受信するためのコードを備える。
【００２０】
さらに別の例示的な態様では、ワイヤレス通信プロセッサが開示される。ワイヤレスプロセッサは、複数のコードワードを送信する動作と、送信された複数のコードワードに対する空間的にバンドルされた確認応答を含むダウンリンクフィードバックメッセージを受信する動作とを実行するように構成される。
【００２１】
さらに別の例示的な態様では、ワイヤレス通信の方法は、第１のフィールドと第２のフィールドとを含む第１のメッセージを受信することと、第１のメッセージ内の第１のフィールドと第２のフィールドとの値に基づいて、第１のコードワードと第２のコードワードとのうちの一方を送信することと含む。
【００２２】
さらに別の例示的な態様では、ワイヤレス通信装置は、第１のフィールドと第２のフィールドとを含む第１のメッセージを受信するための手段と、第１のメッセージ内の第１のフィールドと第２のフィールドとの値に基づいて、第１のコードワードと第２のコードワードとのうちの一方を送信するための手段と含む。
【００２３】
さらに別の例示的な態様では、コンピュータプログラム製品は、コンピュータ実行可能命令を記憶するコンピュータ可読不揮発性媒体を備えるが開示される。命令は、第１のフィールドと第２のフィールドとを含む第１のメッセージを受信し、第１のメッセージ内の第１のフィールドと第２のフィールドとの値に基づいて、第１のコードワードと第２のコードワードとのうちの一方を送信するためのコードを備える。
【００２４】
さらに別の例示的な態様では、ワイヤレス通信プロセッサが開示される。ワイヤレスプロセッサは、第１のフィールドと第２のフィールドとを含む第１のメッセージを受信する動作と、第１のメッセージ内の第１のフィールドと第２のフィールドとの値に基づいて、第１のコードワードと第２のコードワードとのうちの一方を送信する動作を実行するように構成される。
【００２５】
上記のおよび関連する目的の達成のために、１つまたは複数の態様は、以下に完全に記載され、特許請求の範囲において具体的に指摘される特徴を備える。以下の記載および添付の図面は、特定の例示的な態様を詳細に記載し、その態様の原理が利用され得るさまざまな方法を少ないながら示している。他の利点および新規の特徴は、図面と併せて考慮されると以下の詳細な説明から明らかとなり、開示される態様は、すべてのこのような態様とそれらの均等物とを含むように意図される。
【００２６】
本開示の特徴、性質、および利点は、図面とともに取り上げられるときに下記に記載される詳細な説明からより明らかとなろう。図面において、同様の参照符号は図面全体を通じて対応して特定する。
【図面の簡単な説明】
【００２７】
【図１】１つの実施形態による多元接続ワイヤレス通信システムを示す図。
【図２】通信システムのブロック図。
【図３】ワイヤレス通信のためプロセスを表現した流れ図。
【図４】ワイヤレス通信装置の一部を表現したブロック図。
【図５】ワイヤレス通信のためプロセスを表現した流れ図。
【図６】ワイヤレス通信装置の一部を表現したブロック図。
【図７】ワイヤレス通信のためプロセスを表現した流れ図。
【図８】ワイヤレス通信装置の一部を表現したブロック図。
【図９】ワイヤレス通信のためプロセスを表現した流れ図。
【図１０】ワイヤレス通信装置の一部を表現したブロック図。
【図１１】一実施形態による、確認応答バンドリング(acknowledgment bundling)を容易にする例示的な環境を示す図。
【図１２】一実施形態による、確認応答バンドリングを容易にする例示的な基地局のブロック図。
【図１３】一実施形態による、確認応答バンドリングを容易にする例示的な電気コンポーネントの結合を示す図。
【説明】
【００２８】
ここで、図面を参照してさまざまな態様が説明される。以下の記載において、説明を目的として、１つまたは複数の態様の完全な理解を提供するために、多数の具体的な詳細が記載される。しかしながら、さまざまな態様はこれらの具体的な詳細なしに実施されることができることが明白であり得る。他の事例において、これらの態様の記述を容易にするために、既知の構造とデバイスとがブロック図形式で示されている。
【００２９】
本明細書に記載される技法は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、単一搬送波ＦＤＭＡ（ＳＣ−ＦＤＭＡ）ネットワークなど、さまざまなワイヤレス通信ネットワークに使用されることができる。「ネットワーク」と「システム」と言う用語は多くの場合、交換可能に使用される。ＣＤＭＡネットワークは、ユニバーサル地上無線アクセス（ＵＴＲＡ）、ｃｄｍａ２０００など、無線技術をインプリメントする(implement)ことができる。ＵＴＲＡは、広帯域ＣＤＭＡ（Ｗ−ＣＤＭＡ）と低チップ速度（ＬＣＲ）とを含む。ｃｄｍａ２０００は、ＩＳ−２０００標準規格と、ＩＳ−９５標準規格とＩＳ−８５６標準規格とをカバーする。ＴＤＭＡネットワークは，Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ（登録商標））など無線技術をインプリメントすることができる。ＯＦＤＭＡネットワークは、次世代ＵＴＲＡ（Ｅ−ＵＴＲＡ）、ＩＥＥＥ８０２．１１、ＩＥＥＥ８０２．１６、ＩＥＥＥ８０２．２０、フラッシュＯＦＤＭ（登録商標）など、無線技術をインプリメントすることができる。ＵＴＲＡ、Ｅ−ＵＴＲＡ、およびＧＳＭは、ユニバーサルモバイルテレコミュニケーションシステム（ＵＭＴＳ）の一部である。ロングタームエボリューション（ＬＴＥ）はＥ−ＵＴＲＡを使用するＵＭＴＳの来たるリリースである。ＵＴＲＡ、Ｅ−ＵＴＲＡ、ＧＳＭ、ＵＭＴＳおよびＬＴＥは、「第３世代パートナーシッププロジェクト」（３ＧＰＰ）と称される組織からの文書に記載されている。ｃｄｍａ２０００は、「第３世代パートナーシッププロジェクト２」（３ＧＰＰ２）と称される組織からの文書に記載されている。これらのさまざまな無線技術および標準規格は当該技術分野において既知である。明確にするために、この技法の特定の態様は、ＬＴＥに関して下記に説明され、下記の記載の大部分においてＬＴＥの用語が使用される。
【００３０】
単一搬送波周波数分割多元接続（ＳＣ−ＦＤＭＡ）は、単一搬送波変調と周波数領域等化とを利用する。ＳＣ−ＦＤＭＡ信号は、その元々の単一搬送波構造のために、より低いピーク対平均電力比（ＰＡＰＲ）を、有する。ＳＣ−ＦＤＭＡは、特に、より低いＰＡＰＲが送信電力効率に関してモバイル端末に多大な利益をもたらすアップリンク通信において大きく注目を集めている。これは現在、３ＧＰＰロングタームエボリューション（ＬＴＥ）、または次世代ＵＴＲＡにおけるアップリンク多元接続方式に使用されている。
【００３１】
明確にするために、下記の本主題は、ＬＴＥにおいて使用される特定の信号およびメッセージフォーマットの具体例に関して説明されていることに留意されたい。しかしながら、他の通信システムおよび他の信号送信／受信技術に対する開示される技法の適用可能性が当業者には理解されよう。
【００３２】
図１は、ワイヤレス通信システム１００を示しており、これはＬＴＥシステムであってもよく、または他の何らかのシステムであってもよい。システム１００は、多数の次世代Ｎｏｄｅ  Ｂ（ｅＮＢ）１１０と他のネットワークエンティティとを含むことができる。ｅＮＢは、ＵＥと通信するエンティティであり得、基地局、Ｎｏｄｅ  Ｂ、アクセスポイントなどとも称される場合がある。各ｅＮＢ１１０は特定の地理的領域に対する通信範囲を提供することができ、その範囲領域内に位置するユーザ機器（ＵＥ）のために通信をサポートすることができる。容量を向上させるために、ｅＮＢの範囲領域全体が複数の（例えば、３つの）より小さい領域に区分化されることができる。各々のより小さい領域は、それぞれのｅＮＢサブシステムによってサービスされることができる。３ＧＰＰにおいて、「セル」という用語が、ｅＮＢ１１０の最も小さい範囲領域および／またはこの範囲領域にサービスするｅＮＢサブシステムを指すことができる。
【００３３】
ＵＥ１２０は、システム全体を通じて分散されている場合があり、各ＵＥ１２０は固定または移動している場合がある。ＵＥは、移動局、端末、アクセス端末、加入者ユニット、局などと称される場合もある。ＵＥ１２０は、セルラ電話、携帯情報端末（ＰＤＡ）、ワイヤレスモデム、ワイヤレス通信デバイス、ハンドヘルドデバイス、ラップトップコンピュータ、コードレス電話、ワイヤレス局所ループ（ＷＬＬ）局、スマートフォン、ネットブック、スマートブック、タブレットなどであることができる。
【００３４】
ＬＴＥは、ダウンリンクにおいては直交周波数分割多重化（ＯＦＤＭ）を利用し、アップリンクにおいては単一搬送波周波数分割多重化（ＳＣ−ＦＤＭ）を利用する。ＯＦＤＭおよびＳＣ−ＦＤＭは、周波数範囲を複数の（ＫS個の）直交副搬送波に分割し、これらは一般的にトーン、ビンなどとも称される。各副搬送波はデータを変調されることができる。一般的に、変調シンボルはＯＦＤＭを用いて周波数領域において送られ、ＳＣ−ＦＤＭを用いて時間領域において送信される。隣接する副搬送波間の間隔は固定であることができ、副搬送波の総数（ＫS）はシステム帯域幅に応じて決まり得る。例えば、ＫSは、１．４、３、５、１０または２０メガヘルツ（ＭＨｚ）のシステム帯域幅に対してそれぞれ、１２８、２５６、５１２、１０２４または２０４８に等しいものであり得る。システム帯域幅は、合計ＫS個の副搬送波のサブセットに対応することができる。
【００３５】
図２は、例示的な基地局／ｅＮＢ１１０およびＵＥ１２０のブロック図を示し、これらは図１におけるｅＮＢのうちの１つ、およびＵＥのうちの１つであってもよい。ＵＥ１２０は、Ｔ本のアンテナ１２３４ａ〜１２３４ｔを装備することができ、基地局１１０はＲ本のアンテナ１２５２ａ〜１２５２ｒを装備することができ、ここで一般的にＴ≧１かつＲ≧１である。
【００３６】
ＵＥ１２０において、送信プロセッサ１２２０はデータソース１２１２からのデータと、コントローラ／プロセッサ１２４０からの制御情報とを受信することができる。送信プロセッサ１２２０は、データおよび制御情報を処理（例えば、符号化、インタリーブ、およびシンボルマッピング）することができ、それぞれデータシンボルと制御シンボルとを提供することができる。送信プロセッサ１２２０は、ＵＥ１２０に割り当てられる１つまたは複数のＲＳシーケンス(one or more RS sequences assigned)に基づいて複数の不連続クラスタ(multiple non-contiguous clusters)に対する１つまたは複数の復調基準信号を生成することもでき、基準シンボルを提供することができる。送信（ＴＸ）マルチ入力マルチ出力（ＭＩＭＯ）プロセッサ１２３０は、適用可能な場合、送信プロセッサ１２２０からのデータシンボル、制御シンボル、および／または基準シンボルに対する空間処理（例えば、予符号化）を実行することができ、Ｔ個の出力シンボルストリームをＴ個の変調器（ＭＯＤ）１２３２ａ〜１２３２ｔに提供することができる。各変調器１２３２は、（例えば、ＳＣ−ＦＤＭＡ、ＯＦＤＭなどのための）それぞれの出力シンボルストリームを処理して出力サンプルストリームを得ることができる。各変調器１２３２は、出力サンプルストリームをさらに処理（例えば、アナログに変換、増幅、フィルタリング、およびアップコンバート）してアップリンク信号を得ることができる。変調器１２３２ａ〜１２３２ｔからのＴ個のアップリンク信号は、それぞれＴ本のアンテナ１２３４ａ〜１２３４ｔを介して送信されることができる。
【００３７】
基地局１１０において、アンテナ１２５２ａ〜１２５２ｒはＵＥ１２０からアップリンク信号を受信して、受信信号をそれぞれ復調器（ＤＥＭＯＤ）１２５４ａ〜１２５４ｒに提供することができる。各復調器１２５４は、それぞれの受信信号を調整（例えば、フィルタリング、増幅、ダウンコンバート、およびデジタル化）して受信サンプルを得ることができる。各復調器１２５４は、受信サンプルをさらに処理して受信シンボルを得ることができる。チャネルプロセッサ／ＭＩＭＯ検出器１２５６は、すべてのＲ個の復調器１２５４ａ〜１２５４ｒから受信シンボルを得ることができる。チャネルプロセッサ１２５６は、ＵＥ１２０から受信された復調基準信号に基づいて、ＵＥ１２０から基地局１１０のワイヤレスチャネルに対するチャネル推定値を導出することができる。ＭＩＭＯ検出器１２５６は、チャネル推定値に基づいて、受信シンボルに対してＭＩＭＯ検出／復調を実行することができ、検出シンボルを提供することができる。受信プロセッサ１２５８は検出シンボルを処理（例えば、シンボルデマッピング、デインタリーブ、および復号）し、復号データをデータシンク１２６０に提供して、復号制御情報をコントローラ／プロセッサ１２８０に提供することができる。
【００３８】
ダウンリンクに関して、基地局１１０において、データソース１２６２からのデータおよびコントローラ／プロセッサ１２８０からの制御情報が、送信プロセッサ１２６４によって処理され、適用可能な場合はＴＸ  ＭＩＭＯプロセッサ１２６６によって予符号化され、変調器１２５４ａ〜１２５４ｒによって調整され、ＵＥ１２０に送信されることができる。ＵＥ１２０において、基地局１１０からのダウンリンク信号が、アンテナ１２３４によって受信され、復調器１２３２によって調整され、チャネル推定器／ＭＩＭＯ検出器１２３６によって処理され、受信プロセッサ１２３８によってさらに処理されて、ＵＥ１２０に送られるデータと制御情報とを得ることができる。プロセッサ１２３８は、復号データをデータシンク１２３９に提供して、復号制御情報をコントローラ／プロセッサ１２４０に提供することができる。
【００３９】
コントローラ／プロセッサ１２４０および１２８０は、それぞれ、ＵＥ１２０および基地局１１０における動作を指示することができる。ＵＥ１２０にあるプロセッサ１２２０、プロセッサ１２４０、および／または他のプロセッサならびにモジュールは、図７におけるプロセス７００、図９におけるプロセス９００および／または本明細書に記載される技法のための他のプロセスを実行または指示することができる。基地局１１０にあるプロセッサ１２５６、プロセッサ１２８０、および／または他のプロセッサならびにモジュールは、図３におけるプロセス３００、図５におけるプロセス５００および／または本明細書に記載される技法のための他のプロセスを実行または指示することができる。メモリ１２４２および１２８２は、それぞれ、ＵＥ１２０および基地局１１０のためのデータとプログラムコードとを記憶することができる。スケジューラ１２８４は、ダウンリンクおよび／またはアップリンク送信についてＵＥをスケジューリングすることができ、スケジューリングされたＵＥに対してリソースを割り振る（例えば、復調基準信号のための複数の不連続クラスタ、ＲＳシーケンスの割り当てなど）ことができる。
【００４０】
本明細書において開示されている態様は一般的に、アップリンクＭＩＭＯシステムのために肯定応答(acknowledgment)（ＡＣＫ）および否定応答(negative acknowledgment)（ＮＡＫ）のバンドリング(bundling)を容易にすることを対象とする。ＵＬ  ＭＩＭＯ送信のＤＬ  ＡＣＫ実行／ＮＡＫ実行（ACKing/NAKing）に対して異なる設計が提供される、例示的な実施形態が開示される。一態様では、ＡＣＫバンドリング(ACK bundling)が必要とする物理ハイブリッド自動再送要求（ＨＡＲＱ）インジケータチャネル（ＰＨＩＣＨ）リソースがより少ない(less Physical Hybrid Automatic Repeat Request (HARQ) Indicator Channel (PHICH) resources)望ましい設計が開示され、これによって、１つのコードワードをスケジューリングする、コンパクト（すなわち、非ＭＩＭＯ）ＵＬ許可(the compact (i.e., non-MIMO) UL grant)において２つの新規データインジケータ(new data indicators)（ＮＤＩs）を有する必要性が回避される。例えば、ＤＣＩフォーマット０は、ＬＴＥ  Ｒｅｌ−８、９および１０におけるコンパクト（非ＭＩＭＯ）ＤＣＩフォーマットである。
【００４１】
デジタル通信の発展により、ＵＥ１２０において複数の送信アンテナを使用することができるようになった。例えば、ＬＴＥリリース１０において、ＵＥ１２０が最大２つの転送ブロック（ＴＢ）をｅＮＢ１１０に送信することができる、シングルユーザマルチ入力マルチ出力（ＳＵ−ＭＩＭＯ）モードが定義されている。ＴＢはコードワード（ＣＷ）と称される場合もあるが、ＴＢからのＣＷへのマッピングは時として、一対のＣＷにマッピングされる２つのＴＢのスワッピングなど置換に従う場合がある。ＵＥ１２０が０または１つのＴＢをアップリンク方向において送信していた従来のシステムでは、それによってｅＮＢ１１０が、ＴＢがＵＥ１２０からのアップリンク方向において受信されたか否かを確認応答していたフィードバック機構が提供されていた。一方、ＳＵ−ＭＩＭＯでは、例えば、通信非効率性を低減するために、または複雑性を低減するために、それによって受信側のｅＮＢ１１０および送信側のＵＥ１２０が、アップリンクチャネルを介して送信されることになる（または受信された）ＴＢの数およびタイプ（例えば、新規または再送信(new or retransmitted)）の知識を共有する機構を使用することが望ましい場合がある。いくつかの設計では、いずれのＴＢが受信されたかに関するフィードバックを提供するために、かつＵＥ１２０がいずれのＴＢが次の送信機会において（例えば、ＵＬ許可内で）送信すべきかを指定するために、複数の機構がｅＮＢ１１０にとって利用可能であり得る。
【００４２】
ＬＴＥ  Ｒｅｌ−１０のＵＬ  ＭＩＭＯ動作において、送信されるＴＢのＣＷに対する一対一のマッピングが存在する、すなわち、２つのＴＢにわたるＵＬ許可ＨＡＲＱパラメータの空間バンドリング(spatial bundling)（例えば、新規データインジケータ（ＮＤＩ）および冗長バージョン（ＲＶ））は存在しない。物理ハイブリッドＡＲＱインジケータチャネル（ＰＨＩＣＨ）動作について、２つの選択肢、すなわち１ＰＨＩＣＨリソース設計の選択肢、および２ＰＨＩＣＨリソース設計の選択肢があり得る。１ＰＨＩＣＨリソース設計は、利用するＰＨＩＣＨオーバヘッドがより小さく、ＬＴＥ  Ｒｅｌ−８  ＰＨＩＣＨ設計への変更を必要としない。２ＰＨＩＣＨリソース設計に関して、利用されるＰＨＩＣＨオーバヘッドがより大きい（すなわち、ユーザがＳＵ−ＭＩＭＯモードにあるときにサポートされることができるユーザがより少ない）ことが留意される。
【００４３】
いくつかの設計では、ＵＬ  ＭＩＭＯにおける２つのコードワードのＡＣＫ実行／ＮＡＫ実行に２つのＰＨＩＣＨリソースが利用可能であるフィードバック方式が使用されることができる。一態様では、このような設計は、下記に記載される以下の例示的な属性を含むことができる。ＰＨＩＣＨ上のフィードバック（１，１）、すなわち、ｅＮＢ１１０が両方のコードワードが受信されたことをＵＥ１２０に指示するとき、について、付随するＵＬ許可がないと仮定すると、ＵＥ１２０は現在のコードワードの送信を保留する(suspend)ことができる。ＰＨＩＣＨ上のフィードバック（０，０）、すなわち、ｅＮＢ１１０が以前に送信された両方のコードワードが受信されなかったことを指示するとき、について、付随するＵＬ許可がない場合、ＵＥ１２０は最初の送信に対する許可情報に従って両方のコードワードを再送信することができる。ＰＨＩＣＨ上のフィードバック（１，０）または（０，１）について、付随するＵＬ許可がない場合、ＵＥ１２０は対応する未処理のコードワードを再送信することができる。１つの態様では、ブランキング損失は想定されるが、成功したコードワードの冗長送信は実行され得ず、従って未処理のコードワードに対する干渉は起こり得ない。
【００４４】
ＰＨＩＣＨ上のフィードバック（１，０）または（０，１）について、一方のコードワードのスケジューリングをサポートするコンパクト（非ＭＩＭＯ）ＤＣＩフォーマットによるＵＬ許可が付随する場合、ＵＥ１２０は新たな許可情報に従ってＮＡＫされたコードワードを再送信することができる。いくつかの設計では、ＰＨＩＣＨ送信はＵＥ１２０がいずれのコードワードを送信（または再送信）すべきかを判定するのに必要とされる場合がある。ＰＨＩＣＨ上のフィードバック（０，０）、（０，１）、（１，０）、または（１，１）について、かつ大ペイロード（large payload）（ＭＩＭＯ）ＤＣＩフォーマット、すなわち、２つのコードワードのスケジューリングをサポートするＤＣＩフォーマットによる付随するＵＬ許可が存在する場合、許可信号においてｅＮＢ１１０によって、それが新たな送信であるかまたは再送信であるかを指示するために、２つのＮＤＩビットが提供されることができる。なお、ＤＣＩフォーマット４がＬＴＥ  Ｒｅｌ−１０における大ペイロード（ＭＩＭＯ）ＤＣＩフォーマットである。ＵＥ１２０は、新たな許可情報に従ってコードワード（複数の場合もあり）を（再）送信することができる。この場合、すべての情報が新たな許可において搬送されるため、ＰＨＩＣＨ送信をも提供することは必要でない場合がある。
【００４５】
別の態様では、ＵＬ  ＭＩＭＯにおける２つのコードワードのＡＣＫ実行／ＮＡＫ実行のために１つのＰＨＩＣＨリソースを有することに関するフィードバック設計方式も企図される。
【００４６】
第１の例示的なフィードバック設計方式には、以下の属性が含まれる。ＰＨＩＣＨ上のフィードバック１について（付随するＵＬ許可がない）、ＵＥは現在の送信を保留する。ＰＨＩＣＨ上のフィードバック０について（付随するＵＬ許可がない）、ＵＥは最初の送信に対する許可情報に従って両方のコードワードを再送信する（注記：一方のコードワードが終了し他方が失敗する場合、ブランキング損失と終了したコードワードからの過度な干渉の両方が存在する）。ＰＨＩＣＨ上のフィードバック０または１について（加えて、２つのコードワードのスケジューリングをサポートする大ペイロードＤＣＩフォーマットによるＵＬ許可がある）、新たな送信であるかまたは再送信であるかにかかわらずＵＬ許可信号の２つのＮＤＩ、およびＵＥがＵＬ許可に従って（再）送信を実行する（注記；この場合、すべての情報は新たな許可において搬送されるため、ＰＨＩＣＨ送信は必要ではない）。ＰＨＩＣＨ上のフィードバック０について（加えて、１つのコードワードのスケジューリングをサポートするコンパクトＤＣＩフォーマットによるＵＬ許可がある）、ＵＥは許可に従ってコードワード０を再送信する（注記：ＰＨＩＣＨ上の０はコードワード１も表すことができ、この場合もまた、いずれのコードワードを再送信するかをＵＥが判定するためのＰＨＩＣＨは必要である）。ＰＨＩＣＨ上のフィードバック１について（加えて、１つのコードワードのスケジューリングをサポートするコンパクトＤＣＩフォーマットによるＵＬ許可がある）、ＵＥは許可に従ってコードワード１を再送信する（注記：ＰＨＩＣＨ上の１はコードワード０を表すこともでき、この場合もまた、いずれのコードワードを再送信するかをＵＥが判定するためのＰＨＩＣＨは必要である）。１つのコードワードのみのスケジューリングをサポートするコンパクトＤＣＩフォーマットによるＵＬ許可について（すなわち、ＰＨＩＣＨはない）、ＵＥは固定の規則に従ってコードワード０またはコードワード１を再送信し、ＵＥは他方のコードワードを保留する。
【００４７】
ＵＬ  ＭＩＭＯにおける２つのコードワードのＡＣＫ実行／ＮＡＫ実行のために１つのＰＨＩＣＨリソースを有することに関する、第２の例示的なフィードバック設計方式も企図される。このようなフィードバック設計方式について、以下の属性が含まれる。ＰＨＩＣＨ上のフィードバック１について（付随するＵＬ許可がない）、ＵＥは現在の送信を保留する。ＰＨＩＣＨ上のフィードバック０について（付随するＵＬ許可がない）、ＵＥは最初の送信に対する許可情報に従って両方のコードワードを再送信する。ＰＨＩＣＨ上のフィードバック０または１について（加えて、２つのコードワードのスケジューリングをサポートする大ペイロードＤＣＩフォーマットによるＵＬ許可がある）、新たな送信であるかまたは再送信であるかにかかわらずＵＬ許可信号の２つのＮＤＩ、およびＵＥがＵＬ許可に従って（再）送信を実行する（注記；この場合、すべての情報は新たな許可において搬送されるため、ＰＨＩＣＨ送信は必要ではない）。ＰＨＩＣＨ上のフィードバック０または１について（加えて、１つのコードワードのスケジューリングをサポートする新たなコンパクトＤＣＩフォーマットによるＵＬ許可がある）、ＤＣＩフォーマットは、いずれのコードワードがスケジューリングされるかを特定するフィールド／仮説を有するべきであり、ここでＵＥは許可に従って指定されるコードワードを（再）送信し、ＵＥは他方のコードワードを保留する（注記；この場合、すべての情報は新たな許可において搬送されるため、ＰＨＩＣＨ送信は必要ではない）。
【００４８】
図３は、ワイヤレス通信手順（ｍｅｔｈｏｄｏｌｏｇｙ）３００の流れ図表現である。ボックス３０２において、複数のコードワードが受信される。例えば、上記で説明されたように、ＬＴＥ  Ｒｅｌ−１０では２つのコードワードがＵＥ１２０からｅＮＢ１１０によって受信されることができる。ボックス３０４において、受信された複数のコードワードに対する確認応答を空間的にバンドルすることによって、ダウンリンクフィードバックメッセージが送信される。いくつかの設計では、空間的にバンドルされた確認応答は、上記で説明されたように、ＰＨＩＣＨにおいて送信されることができる。いくつかの設計において、付随するアップリンク許可メッセージも送信されることができる。アップリンク許可メッセージはＭＩＭＯ  ＤＣＩメッセージを備えることができる。いくつかの設計では、アップリンク許可メッセージは、コンパクトフォーマット、例えば、単一ＴＢ許可ＤＣＩメッセージを備えることができる。いくつかの設計では、ＵＥ１２０を、フィードバック応答を提供するように構成するための構成データも送信されることができる。構成データは、例えば、動作モードに関連する情報（例えば、コンパクトまたは大ペイロードフォーマットのいずれがアップリンク許可に使用され得るか、など）を含むことができる。
【００４９】
図４は、ワイヤレス通信装置４００の一部のブロック図表現である。モジュール４０２は、複数のコードワードを受信するために提供される。モジュール４０４は、受信された複数のコードワードに対する確認応答を空間的にバンドルすることによってダウンリンクフィードバックメッセージを送信するために提供される。通信装置４００、モジュール４０２およびモジュール４０４は、本明細書において説明される他の機能と特徴とをインプリメントするようにさらに構成されることができる。
【００５０】
既に説明されたように、ＬＴＥにおけるＵＬデータ送信に対して、データ再送信を含み、ＨＡＲＱ方式が利用される。ＬＴＥでは、定義されている２つのタイプのＵＬデータ再送信、すなわち適応的再送信および非適応的再送信。Ｒｅｌ−８において、適応的再送信は、新規データインジケータ（ＮＤＩ）ビットが変更されていない状態でＤＬ制御チャネル上でＵＬ許可を送ることによってトリガされる。非適応的再送信は、ＤＬ制御チャネル上でＵＬ許可を送ることなくＰＨＩＣＨ上でＮＡＫビットを送ることによってトリガされる。
【００５１】
Ｒｅｌ−１０のＵＬ  ＭＩＭＯの場合、適応的再送信は、単一のＭＩＭＯコードワードのみが再送信されるべきである場合であっても、一般的に大ペイロードＭＩＭＯ  ＤＣＩフォーマットを送ることを必要とするであろう。メッセージを送信するのに必要とされる帯域幅を保存するために、例えば、ＤＣＩフォーマット０などコンパクト（非ＭＩＭＯ）ＤＣＩフォーマットを送ることが有益であり得る。この場合、いずれかのコードワードが再送信されるべきであるかに関するいくつかの追加の情報が搬送される必要があり得る。従って、さまざまな技法が下記に記載され、コンパクトＤＣＩフォーマットがコードワード送信帯域幅をＵＥ１２０にシグナリングするために物理ハイブリッドＡＲＱインジケータチャネル（ＰＨＩＣＨ）とともに使用される。
【００５２】
いくつかの設計では、ｅＮＢ１１０は、ＰＨＩＣＨおよびＰＤＣＣＨシグナリングの組み合わせを使用してコンパクト制御チャネルフォーマットを使用する。一態様では、ＰＤＣＣＨは、ＰＨＩＣＨにおいて搬送されるあらゆる設定に優先するものとみなされる場合がある。
【００５３】
ＵＥ１２０はＵＬ  ＭＩＭＯ送信モードにあるときはＤＣＩフォーマット４（ＭＩＭＯ  ＤＣＩ）を受信するものと仮定する。ＵＥ１２０は、ＵＬ送信を制御するためにＵＬ許可に従うことができる。ｅＮＢ１１０は、ＰＨＩＣＨ０＝ＡＣＫ、ＰＨＩＣＨ１＝ＡＣＫをセットすることができる。ＵＥ１２０は、ＤＣＩフォーマット４が復号されるときはいつでもＰＨＩＣＨを無視することができる。ＵＥ１２０によって使用されるプリコーダ(precoder)は、以前の送信のためのものと同じものであることができる。上記のように２つのフィールドＰＨＩＣＨ０とＰＨＩＣＨ１とを同じ値（ＡＣＫ）にセットすることは、フォールバックモード、または下位互換モードをイネーブルするために有利である場合があり、ここで、ＵＥ１２０は下記にさらに説明されるように、単一アンテナモードで動作するように命令され得る。
【００５４】
ＵＥ１２０がＵＬ許可を受信しない場合、ＵＥ１２０はＰＨＩＣＨ内容に従って各コードワードに関して独立して新たな送信または再送信に関して決定することができる。プリコーダは、以前の送信のためのものと同じものであることができる。
【００５５】
ＵＬ  ＭＩＭＯ送信モードにあるときにＵＥ１２０がＤＣＩフォーマット０を受信する場合、ＰＨＩＣＨシグナリングに応じて、ＵＥ１２０は以下のように許可を解釈することができる。
【００５６】
特定の設計では(in certain designs)、表１にリストされているような解釈の規則が使用されることができる。表１において、第１の列はＰＨＩＣＨ０において受信される可能な値をリストしている。第２の列はＰＨＩＣＨ１において受信される可能な値をリストしている。「可能な解釈」の見出しを有する第３の列は、ＰＨＩＣＨ０とＰＨＩＣＨ１とのリストされている組み合わせを受信したときにＵＥ１２０によって実行され得る動作をリストしている。
【表１】
0005642870.tif 000002
【００５７】
特定の他の設計では、表２に示されているような解釈の規則が使用されることができる。
【表２】
0005642870.tif 000003
【００５８】
特定の他の設計では、表３にリストされているような解釈の規則が使用されることができる。
【表３】
0005642870.tif 000004
【００５９】
特定の他の設計では、表４にリストされているような解釈の規則が使用されることができる。
【表４】
0005642870.tif 000005
【００６０】
上記のオプションによるエラー抑制能力を増強するために、ＭＩＭＯ送信モードにおいてコンパクトＤＣＩフォーマットを使用するときに、リソース割振り（占有される物理リソースブロック）が以前の送信と比較して変化しないことが想定され得る。しかしながら、復調基準信号（ＤＭ−ＲＳ）循環シフトオフセット、冗長バージョン識別情報（ＲＶ−ＩＤ）など特定の他の送信パラメータは変化してもよい。
【００６１】
図５は、ワイヤレス通信手順５００の流れ図表現である。ボックス５０２において、第１のフィールドと第２のフィールドとを含む第１のメッセージが送信される。第１のメッセージは、例えば、ｅＮＢ１１０によって、複数のコードワード（例えば、ＣＷ０とＣＷ１）に関する確認応答をＵＥ１２０にシグナリングするために送信されることができる。例えば、第１のメッセージはＰＨＩＣＨメッセージであることができる。いくつかの設計では、既に説明されたように、第１のフィールドと第２のフィールドとはＰＨＩＣＨ０とＰＨＩＣＨ１フィールドとに対応することができる。ボックス５０４において、第２のメッセージ内で、第１のメッセージ内の第１のフィールドと第２のフィールドとの値に基づいて、第１のコードワードと第２のコードワードとのうちの送信されるべき一方がシグナリングされる。例えば、第２のメッセージはＵＬ許可メッセージに対応することができ、既に説明されたように、アップリンク方向においてＵＥ１２０によって送信されるべきコードワード（複数の場合もあり）のためのリソースをシグナリングすることができる。表１〜表４に関連して既に説明されたように、ＵＥ１２０によるＵＬ許可の解釈は、ＰＨＩＣＨシグナリングに応じて決まり得る。例えば、ＮＤＩビットフィールドは、ＣＷ０またはＣＷ１が新たに送信されるべきか、または再送信されるべきかを指示することができる。いくつかの設計では、ＵＬ許可は、ＤＣＩフォーマット０メッセージにおいて送信されることができる。いくつかの設計では、既に説明されたように、単一アンテナ送信モード（フォールバック動作）が第２のメッセージにおいて指示されることができる。いくつかの設計では、第１のフィールドと第２のフィールドとの値が同じであるとき（例えば、ＰＨＩＣＨ０とＰＨＩＣＨ１の両方がＮＡＫを指示する）、この組み合わせは、ＣＷ１が以前使用されたプリコーダマトリクスＴＰＭＩを使用して送信されるべきであることを指示することができる。
【００６２】
図６は、ワイヤレス通信装置６００の一部のブロック図表現である。モジュール６０２は、第１のフィールドと第２のフィールドとを含む第１のメッセージを送信するためのものである。モジュール６０４は、第２のメッセージ内で、第１のメッセージ内の第１のフィールドと第２のフィールドとの値に基づいて、第１のコードワードと第２のコードワードとのうちの送信されるべき一方をシグナリングするためのものである。通信装置６００、モジュール６０２およびモジュール６０４は、既に説明された主題の技術をインプリメントするようにさらに構成されることができる。
【００６３】
既に説明されたように、ｅＮＢ１１０は既に説明された信号を送信することによって確認応答を提供し、ＵＥ１２０に送信リソースを割り振ることもできる。いくつかの設計では、ＵＥ１２０はそれに応じて、本明細書において説明されているようにメッセージを受信するとともに、そのメッセージを解釈および使用するように構成されることができる。
【００６４】
図７は、ワイヤレス通信手順７００の流れ図表現である。ボックス７０２において、複数のコードワードが送信される。例えば、ＳＵ−ＭＩＭＯシステムにおいて、ＵＥ１２０は複数の（例えば、２個の）コードワードをアップリンク方向において送信することができる。ボックス７０４において、送信された複数のコードワードに対する、空間的にバンドルされた確認応答を含むダウンリンクフィードバックメッセージが受信される。いくつかの設計では、受信されたフィードバックメッセージに基づいて、ＵＥ１２０はコードワードの少なくとも１つを再送信するか否かを決定することができる。例えば、既に説明されたように、ＵＥ１２０はｅＮＢ１１０からＮＡＫ指示を受信することができる。さらに、ＵＥ１２０はコードワードを再送信する場合であっても、新たなコードワードを送信する場合であっても、ｅＮＢ１１０からＮＤＩビットを受信することもできる。
【００６５】
図８は、ワイヤレス通信装置８００の一部のブロック図表現である。モジュール８０２は、複数のコードワードを送信するためのものである。モジュール８０４は、送信された複数のコードワードに対する、空間的にバンドルされた確認応答を含むダウンリンクフィードバックメッセージを受信するためのものである。通信装置８００、モジュール８０２およびモジュール８０４は、本明細書において説明される主題の技術をさらにインプリメントすることができる。
【００６６】
図９は、ワイヤレス通信手順９００の流れ図表現である。ボックス９０２において、第１のフィールドと第２のフィールドとを含む第１のメッセージが受信される。第１のメッセージは、例えば、ダウンリンク方向においてｅＮＢ１１０によって送信されるＰＨＩＣＨに対応することができる。既に説明されたように、２つのメッセージフィールドＰＨＩＣＨ０およびＰＨＩＣＨ１は、複数のコードワードに対する確認応答を提供するために、送信されるＰＨＩＣＨ信号内に含まれることができる。ボックス９０４において、第１のフィールドと第２のフィールドとの値に基づいて、第１のコードワードと第２のコードワードとのうちの一方が送信される。例えば、いずれのコードワードを送信するかに関する決定は、表１〜表４に関連して既に説明された技法のうちの１つを使用して実行されることができる。いくつかの設計では、送信内容および送信のフォーマットは、受信される第２のメッセージの内容に従ってセットされることができる。既に説明されたように、第２のメッセージはアップリンク許可（例えば、コンパクトアップリンク許可）メッセージに対応することができる。
【００６７】
図１０は、ワイヤレス通信装置１０００の一部のブロック図表現である。モジュール１００２は、第１のフィールドと第２のフィールドとを含む第１のメッセージを受信するためのものである。モジュール１００４は、第２のメッセージ内で、第１のメッセージ内の第１のフィールドと第２のフィールドとの値に基づいて、第１のコードワードと第２のコードワードとのうちの一方を送信するためのものである。送信内容およびフォーマットは、受信される第２のメッセージの内容に従ってセットされることができる。既に説明されたように、第２のメッセージはアップリンク許可（例えば、コンパクトアップリンク許可）メッセージに対応することができる。通信装置１０００、モジュール１００２およびモジュール１００４は、本明細書において説明される主題の技術をさらにインプリメントすることができる。
【００６８】
次に図１１を参照すると、一実施形態による、確認応答バンドリングを容易にする例示的な環境が提供される。示されているように、システム１１００は、ワイヤレス端末１１２０に通信可能に結合されている基地局１１１０を含む。一態様では、基地局１１１０は、特定のフィードバック方式に従って、ワイヤレス端末１１２０にＰＨＩＣＨフィードバックを提供する。次いで、ワイヤレス端末１１２０は、特定のインプリメントされるフィードバック方式に従って基地局１１１０にフィードバック応答を提供する。下記に、例示的なフィードバック方式の非排他的な記載が提供される。
【００６９】
次に図１２を参照すると、一実施形態による、確認応答バンドリングを容易にする例示的な基地局（例えば、ｅＮＢ１１０）のブロック図が提供される。図示されるように、基地局２００は、プロセッサコンポーネント(processor component)２１０と、メモリコンポーネント(memory component)２２０と、割振りコンポーネント(allocation component)２３０と、インプリメントコンポーネント(implementing component)２４０と、生成コンポーネント(generation component)２５０と、通信コンポーネント(communication component)２６０とを含むことができる。
【００７０】
１つの態様において、プロセッサコンポーネント２１０は、複数の機能のうちのいずれかの実行に関連するコンピュータ可読命令を実行するように構成される。プロセッサコンポーネント２１０は、基地局２００から通信されるべき情報の分析、ならびに／または、メモリコンポーネント２２０、割振りコンポーネント２３０、インプリメントコンポーネント２４０、生成コンポーネント２５０、および／もしくは通信コンポーネント２６０によって利用されることができる情報の生成のために設けられる単一のプロセッサまたは複数のプロセッサであることができる。付加的にまたは代替的に、プロセッサコンポーネント２１０は基地局２００の１つまたは複数のコンポーネントを制御するように構成されることができる。
【００７１】
別の態様では、メモリコンポーネント２２０はプロセッサコンポーネント２１０に結合され、プロセッサコンポーネント２１０によって実行されるコンピュータ可読命令を記憶するように構成される。メモリコンポーネント２２０は、割振りコンポーネント２３０、インプリメントコンポーネント２４０、生成コンポーネント２５０、および／または通信コンポーネント２６０のいずれかによって生成されるデータを含む、複数の他のタイプのデータのいずれかを記憶するようにも構成されることができる。メモリコンポーネント２２０は、ランダムアクセスメモリ、バッテリバックアップメモリ、ハードディスク、磁気テープなどとして含む多数の異なる構成において構成されることができる。メモリコンポーネント２２０上で、圧縮および自動バックアップ（例えば、独立ドライブ構成の冗長アレイの使用）などさまざまな特徴もインプリメントされることができる。
【００７２】
示されているように、基地局２００は割振りコンポーネント２３０をさらに含むことができる。このような実施形態内で、割振りコンポーネント２３０は、多数の物理ハイブリッド自動再送要求（ＡＲＱ）インジケータチャネル（ＰＨＩＣＨ）リソースを割り振るように構成される。例えば、割振りコンポーネント２３０は、ＵＬ  ＭＩＭＯにおける上記の２つのコードワードのＡＣＫ実行／ＮＡＣＫ実行のためのいずれか１つまたは２つのＰＨＩＣＨリソースを割り振るように構成されることができる。
【００７３】
別の態様では、基地局２００は、インプリメントコンポーネント２４０と生成コンポーネント２５０とをさらに含む。このような実施形態内で、インプリメントコンポーネント２４０は、フィードバック送信のセットをフィードバック応答のセットにマッピングするフィードバック方式をインプリメントするように構成され、一方で生成コンポーネント２５０は、フィードバック方式に基づいてフィードバックを生成するように構成される。この特定の実施形態について、生成コンポーネント２５０によって生成されるフィードバックは、少なくとも１つのコードワードの確認応答に関連付けられる。一態様において、生成コンポーネント２５０は、インプリメントコンポーネント２４０によってインプリメントされる特定のフィードバック方式に応じて、このようなフィードバックにアップリンク許可を添付するべきか否かを判定するように構成されることができることに留意されたい。
【００７４】
さらに別の態様では、通信コンポーネント２６０はプロセッサコンポーネント２１０に結合され、基地局２００を外部エンティティとインタフェースするように構成される。例えば、通信コンポーネント２６０は、生成コンポーネント２５０によって生成されるフィードバックを、割振りコンポーネント２３０によって割り振られるＰＨＩＣＨリソースを介して、複数のワイヤレス端末のいずれかに送信するように構成されることができる。通信コンポーネント２６０は、ワイヤレス端末に、インプリメントコンポーネント２４０によってインプリメントされるフィードバック方式に従ってフィードバック応答を提供するように指示する構成データを送信するようにも構成されることができる。
【００７５】
次に図１３を参照すると、一実施形態による、確認応答バンドリングを容易にするシステム１３００が示されている。システム１３００は、例えば、基地局（例えば、ｅＮＢ）内に存在することができる。システム１３００は、プロセッサ、ソフトウェア、またはそれらの組み合わせ（例えば、ファームウェア）によってインプリメントされる機能を表すことができる機能ブロックを含み、システム１３００は、連動して動作できる(can act in conjunction)電気コンポーネントの論理的グループ分け１３０２(a logical grouping 1302 of electrical components)を含む。示されているように、論理的グループ分け１３０２は、多数のＰＨＩＣＨリソースを割り振るための電気コンポーネント(an electrical component for allocating a number of PHICH resources)１３１０と、フィードバック送信のセットをフィードバック応答のセットにマッピングするフィードバック方式をインプリメントするための電気コンポーネント(an electrical component for implementing a feedback scheme)１３１２と、を含むことができる。論理的グループ分け１３０２は、フィードバック方式に基づいてフィードバックを生成するための電気コンポーネント１３１４をも含むことができる。さらに、論理的グループ分け１３０２は、フィードバックを、ＰＨＩＣＨリソース１３１６を介してワイヤレス端末に送信するための電気コンポーネント１３１６を含むことができる。加えて、システム１３００は、電気コンポーネント１３１０、１３１２、１３１４、および１３１６に関連付けられる機能を実行するための命令を保持するメモリ１３２０を含むことができ、電気コンポーネント１３１０、１３１２、１３１４、および１３１６のいずれかはメモリ１３２０の中または外側のいずれかに存在することができる。
【００７６】
１つの態様では、ＭＩＭＯ送信モードにおけるコンパクトＤＣＩフォーマットの柔軟な使用が開示されていることが理解されよう。ＰＨＩＣＨ上で搬送される情報を利用することによって、新たなコードポイントをコンパクトＤＣＩフォーマット（複数の場合もあり）に追加する必要はない。ただし、いくらかのＰＨＩＣＨ情報を追加のコードポイントとしてコンパクトＤＣＩフォーマット内に持ち込む可能性は排除されない。
【００７７】
さらに、特定の設計では、ＵＥ１２０が単一送信アンテナモードにおいて動作するよう指示されるフォールバックモードが提供されることが理解されよう。ＵＥの単一の送信アンテナを使用する動作またはマルチアンテナ送信モードの間の遷移中にＵＥ１２０およびｅＮＢ１１０が同期を外れている間はコンパクトな、シングルコードワードシグナリングが有利である場合がある。
【００７８】
基地局の観点から、上流方向において受信される複数のコードワードに対するダウンリンクフィードバックメッセージを送信するためのいくつかの技法が開示されていることが理解されよう。いくつかの設計では、受信された複数のコードワードに対する確認応答を空間的にバンドルすることによって、ダウンリンクフィードバックメッセージが送信される。いくつかの設計において、アップリンク許可メッセージも送信される。いくつかの設計では、アップリンク許可メッセージはＭＩＭＯ  ＤＣＩメッセージを含む。
【００７９】
いくつかの設計では、空間バンドリングはダウンリンク方向において送信される複数のＰＨＩＣＨチャネルにおいて実行されてもよいことも理解されよう。１つの態様では、空間バンドリングは個々の確認応答を送信するのに必要とされるオーバヘッドビットの量を低減することができる。別の態様では、同じ量の下流送信リソースが複数のユーザからのコードワードの確認応答受信に使用されることができる。
【００８０】
新規データインジケータフィールドを使用するためのいくつかの技法も開示されていることがさらに理解されよう。いくつかの設計では、第１のフィールドと第２のフィールドとを含む第１のメッセージがダウンリンク方向において送信される。第１のフィールドと第２のフィールドとの値に基づいて、第１のコードワードまたは第２のコードワードのいずれかが、ダウンリンク方向において送信される第２のメッセージ内でシグナリングされる。
【００８１】
開示されているプロセスにおけるステップの特定の順序または階層は例示的な手法の一例であることが理解される。設計嗜好に基づいて、プロセスにおけるステップの特定の順序または階層は本開示の範囲内に留まる限りは配列し直されてもよいことが理解される。添付の方法請求項は、さまざまなステップの要素をサンプル順序において提示しており、提示される特定の順序または階層への限定を意図するものではない。
【００８２】
情報および信号はさまざまな異なる技術および技法のいずれかを使用して表現されている場合があることを、当業者は理解しよう。例えば、上記の記載全体を通じて参照されている場合があるデータ、命令、コマンド、情報、信号、ビット、シンボル、およびチップは、電圧、電流、電磁波、磁場もしくは粒子、光場もしくは粒子、またはそれらの任意の組み合わせによって表現され得る。
【００８３】
「例示的な」という語は本明細書においては、例、事例、または実例としての役割を果たすことを意味するように使用される。「例示的」であるとして本明細書において記載されている任意の態様または設計は、必ずしも他の態様または設計よりも好ましいかまたは有利であるものとして解釈されるべきではない。
【００８４】
本明細書において開示されている実施形態に関連して記載されているさまざまな例示的な論理ブロック、モジュール、回路、およびアルゴリズムステップは、電子機器、コンピュータソフトウェア、またはその両方の組み合わせとしてインプリメントされてもよいことを、当業者はさらに理解するであろう。ハードウェアとソフトウェアとのこの互換性を明確に示すために、さまざまな例示的なコンポーネント、ブロック、モジュール、回路、およびステップは上記で一般的にそれらの機能に関して記載されている。このような機能がハードウェアとしてインプリメントされるか、またはソフトウェアとしてインプリメントされるかは、システム全体に対して課される特定の用途および設計制約に応じて決まる。当業者は、各々の特定の用途のためにさまざまな方法で、記載されている機能をインプリメントすることができるが、このようなインプリメンテーションの決定(implementation decisions)は本開示の範囲からの逸脱を引き起こすものとして解釈されるべきではない。
【００８５】
本明細書において開示されている実施形態に関連して記載されているさまざまな例示的な論理ブロック、モジュール、および回路（例えば、識別子、割り当て器、送信機、およびアロケータ）は、汎用プロセッサ、デジタル信号プロセッサ（ＤＳＰ）、特定用途向け集積回路（ＡＳＩＣ）、フィールドプログラマブルゲートアレイ（ＦＰＧＡ）もしくは他のプログラマブル論理デバイス、個別ゲートもしくはトランジスタロジック、個別ハードウェアコンポーネント、または、本明細書に記載されている機能を実行するように設計されるそれらの任意の組み合わせを用いてインプリメントまたは実行されてもよい。汎用プロセッサはマイクロプロセッサであってもよいが、代替形態では、プロセッサは任意の従来のプロセッサ、コントローラ、マイクロコントローラ、または状態機械であってもよい。プロセッサは、コンピューティングデバイスの組み合わせ、例えば、ＤＳＰとマイクロプロセッサとの組み合わせ、複数のマイクロプロセッサ、ＤＳＰコアと連動する(in conjunction with)１つまたは複数のマイクロプロセッサ、または任意の他のこのような構成としても、インプリメントされてもよい。
【００８６】
１つまたは複数の例示的な実施形態では、記載されている機能はハードウェア、ソフトウェア、ファームウェア、またはそれらの任意の組み合わせにおいてインプリメントされてもよい。ソフトウェアにおいてインプリメントされる場合、機能は１つまたは複数の命令またはコードとしてコンピュータ可読媒体上に記憶または符号化されることができる。コンピュータ可読媒体は、コンピュータ記憶媒体を含む。記憶媒体は、コンピュータによってアクセスされることができる任意の利用可能な媒体であってもよい。限定ではなく例として、このようなコンピュータ可読媒体は、ＲＡＭ、ＲＯＭ、ＥＥＰＲＯＭ、ＣＤ−ＲＯＭもしくは他の光ディスクストレージ、磁気ディスクストレージもしくは他の磁気記憶デバイス、または、命令もしくはデータ構造の形態の所望のプログラムコードを搬送または記憶するために使用されることができるとともに、コンピュータによってアクセスされることができる任意の他の媒体を備えることができる。ディスク（ｄｉｓｋ  ａｎｄ  ｄｉｓｃ）は、本明細書において使用される場合、コンパクトディスク（ＣＤ）、レーザディスク、光ディスク、デジタル多用途ディスク（ＤＶＤ）、フロッピー（登録商標）ディスクおよびブルーレイディスクを含み、磁気ディスクは通常磁気的にデータを再生し、一方で光学ディスクはレーザを用いて光学的にデータを再生する。上記の組み合わせもコンピュータ可読媒体の範囲内に含まれるべきである。
【００８７】
開示される実施形態の先行する記載は、当業者が本開示を作成あまたは使用することを可能にするように提供されている。これらの実施形態に対するさまざまな改変が、当業者には容易に理解され、本明細書において定義される一般的な原理は、本開示の精神または範囲から逸脱することなく他の実施形態に適用されることができる。従って、本開示は本明細書に示されている実施形態に限定されるようには意図されておらず、本明細書において開示されている原理と新規の特徴とに一致する最も広い範囲に合致するものである。
【００８８】
上記に記載されている例示的なシステムを考慮して、開示されている本主題に従ってインプリメントされることができる手順は、いくつかの流れ図を参照して記載されている。説明を簡潔にする目的のために、手順は一連のブロックとして図示および記載されているが、いくつかのブロックは本明細書に図示および記載されているものとは異なる順序において、かつ／または他のブロックと同時に行われてもよいため、特許請求される本主題はブロックの順序によって限定されないことが理解および認識されるべきである。その上、例示されているすべてのブロックが本明細書に記載されている手順をインプリメントするのに必要とされ得るとは限らない。加えて、本明細書において開示されている手順は、このような手順のコンピュータへの移送と転送とを容易にする製造品上に記憶されることが可能であることをさらに理解されたい。製造品という用語は、本明細書において使用される場合、任意のコンピュータ可読デバイス、キャリア、または媒体からアクセス可能なコンピュータプログラムを包含するように意図される。
【００８９】
その全体または一部が参照により本明細書に組み込まれると記載されている任意の特許、刊行物、または他の開示資料は、その組み込まれる資料が既存の定義、記述、または本開示において記載されている他の開示資料と矛盾(conflict)しない限りにおいてのみ本明細書に組み込まれていることを理解されたい。このようなものとして、かつ必要な限りにおいて、本明細書において明示的に記載されているような本開示は、参照により組み込まれているいかなる矛盾する資料にも優先する。参照により本明細書に組み込まれると記載されているが、本明細書に記載されている既存の定義、記述、または他の開示資料と矛盾する任意の資料またはその一部は、その組み込まれている資料と既存の開示資料との間に矛盾が生じない限りにおいてのみ組み込まれることになる。
以下に、本願出願の当初の特許請求の範囲に記載された発明を付記する。
［Ｃ１］
ワイヤレス通信方法であって、
複数のコードワードを受信することと、
前記受信された複数のコードワードに対する確認応答を空間的にバンドルすることによって、ダウンリンクフィードバックメッセージを送信することと、
を備える、方法。
［Ｃ２］
付随するアップリンク許可メッセージを送信すること、
をさらに含む、Ｃ１に記載の方法。
［Ｃ３］
前記アップリンク許可メッセージはマルチ入力マルチ出力（ＭＩＭＯ）ダウンリンク制御情報（ＤＣＩ）メッセージを含む、Ｃ２に記載の方法。
［Ｃ４］
前記アップリンク許可メッセージは単一転送ブロック（ＴＢ）許可ダウンリンク制御情報（ＤＣＩ）メッセージを含む、Ｃ２に記載の方法。
［Ｃ５］
前記送信することは、複数の物理ハイブリッド自動再送要求（ＡＲＱ）インジケータチャネル（ＰＨＩＣＨ）において確認応答を空間的にバンドルすることによって前記ダウンリンクフィードバックメッセージを送信することを含む、Ｃ１に記載の方法。
［Ｃ６］
ワイヤレス端末を、フィードバック応答を提供するように構成するための構成データを送信すること、
をさらに含む、Ｃ１に記載の方法。
［Ｃ７］
ワイヤレス通信装置であって、
複数のコードワードを受信するための手段と、
前記受信された複数のコードワードに対する確認応答を空間的にバンドルすることによって、ダウンリンクフィードバックメッセージを送信するための手段と、
を備える、装置。
［Ｃ８］
付随するアップリンク許可メッセージを送信するための手段、
をさらに含む、Ｃ７に記載の装置。
［Ｃ９］
前記アップリンク許可メッセージはマルチ入力マルチ出力（ＭＩＭＯ）ダウンリンク制御情報（ＤＣＩ）メッセージを含む、Ｃ８に記載の装置。
［Ｃ１０］
前記アップリンク許可メッセージは単一転送ブロック（ＴＢ）許可ダウンリンク制御情報（ＤＣＩ）メッセージを含む、Ｃ８に記載の装置。
［Ｃ１１］
前記送信するための手段は、複数の物理ハイブリッド自動再送要求（ＡＲＱ）インジケータチャネル（ＰＨＩＣＨ）において確認応答を空間的にバンドルすることによって前記ダウンリンクフィードバックメッセージを送信することを含む、Ｃ７に記載の装置。
［Ｃ１２］
ワイヤレス端末を、フィードバック応答を提供するように構成するための構成データを送信するための手段、
をさらに含む、Ｃ７に記載の装置。
［Ｃ１３］
コンピュータ実行可能命令を記憶するコンピュータ可読不揮発性記憶媒体を備えるコンピュータプログラム製品であって、前記命令は、
複数のコードワードを受信し、
前記受信された複数のコードワードに対する確認応答を空間的にバンドルすることによって、ダウンリンクフィードバックメッセージを送信する、
ためのコードを備える、
コンピュータプログラム製品。
［Ｃ１４］
ワイヤレス通信のためのプロセッサであって、
複数のコードワードを受信し、
前記受信された複数のコードワードに対する確認応答を空間的にバンドルすることによって、ダウンリンクフィードバックメッセージを送信するように、
構成された、プロセッサ。
［Ｃ１５］
ワイヤレス通信システムにおいて送信リソースを割り振る方法であって、
第１のフィールドと第２のフィールドとを含む第１のメッセージを送信することと、
第２のメッセージ内で、前記第１のメッセージ内の前記第１のフィールドと前記第２のフィールドとの値に基づいて、第１のコードワードと第２のコードワードとのうちの送信されるべき一方をシグナリングすることと、
を備える、方法。
［Ｃ１６］
前記シグナリングすることは、前記第１のコードワードと前記第２のコードワードのうちの前記一方が再送信されるべきか、または新たに送信されるべきかをシグナリングすることをさらに含む、Ｃ１５に記載の方法。
［Ｃ１７］
前記第２のメッセージはダウンリンク制御情報（ＤＣＩ）フォーマット０メッセージを含む、Ｃ１５に記載の方法。
［Ｃ１８］
前記第２のメッセージ内の送信パラメータの値は、単一アンテナ送信モードを指示する、Ｃ１７に記載の方法。
［Ｃ１９］
前記第１のメッセージ内の前記第１のフィールドと前記第２のフィールドの同じ値を送信することによって、以前使用されたプリコーダマトリクスを使用して前記第２のコードワードの送信をシグナリングすること、をさらに含む、Ｃ１５に記載の方法。
［Ｃ２０］
ワイヤレス通信システムにおいて送信リソースを割り振るための装置であって、
第１のフィールドと第２のフィールドとを含む第１のメッセージを送信するための手段と、
第２のメッセージ内で、前記第１のメッセージ内の前記第１のフィールドと前記第２のフィールドの値に基づいて、第１のコードワードと第２のコードワードのうちの送信されるべき一方をシグナリングための手段と、
を備える、装置。
［Ｃ２１］
前記シグナリングするための手段は、前記第１のコードワードと前記第２のコードワードのうちの前記一方が再送信されるべきか、または新たに送信されるべきかをシグナリングするための手段をさらに含む、Ｃ２０に記載の装置。
［Ｃ２２］
前記第２のメッセージはダウンリンク制御情報（ＤＣＩ）フォーマット０メッセージを含む、Ｃ２１に記載の装置。
［Ｃ２３］
前記第２のメッセージ内の送信パラメータの値は、単一アンテナ送信モードを指示する、Ｃ２２に記載の装置。
［Ｃ２４］
前記第１のメッセージ内の前記第１のフィールドと前記第２のフィールドの同じ値を送信することによって、以前使用されたプリコーダマトリクスを使用して前記第２のコードワードの送信をシグナリングするための手段、
をさらに含む、Ｃ２０に記載の装置。
［Ｃ２５］
コンピュータ実行可能命令を記憶するコンピュータ可読不揮発性記憶媒体を備えるコンピュータプログラム製品であって、前記命令は、
第１のフィールドと第２のフィールドとを含む第１のメッセージを送信し、
第２のメッセージ内で、前記第１のメッセージ内の前記第１のフィールドと前記第２のフィールドとの値に基づいて、第１のコードワードと第２のコードワードとのうちの送信されるべき一方をシグナリングする、
ためのコードを備える、
コンピュータプログラム製品。
［Ｃ２６］
ワイヤレス通信のためのプロセッサであって、
第１のフィールドと第２のフィールドとを含む第１のメッセージを送信し、
第２のメッセージ内で、前記第１のメッセージ内の前記第１のフィールドと前記第２のフィールドとの値に基づいて、第１のコードワードと第２のコードワードとのうちの送信されるべき一方をシグナリングする、
ように構成された、プロセッサ。
［Ｃ２７］
ワイヤレス通信方法であって、
複数のコードワードを送信することと、
前記送信された複数のコードワードに対する空間的にバンドルされた確認応答を含むダウンリンクフィードバックメッセージを受信することと、
を備える、方法。
［Ｃ２８］
前記受信されたダウンリンクフィードバックメッセージに基づいて前記複数のコードワードのうちの少なくとも１つを再送信するか否かを判定すること、
をさらに含む、Ｃ２７に記載の方法。
［Ｃ２９］
付随するアップリンク許可メッセージを受信すること、
をさらに含む、Ｃ２７に記載の方法。
［Ｃ３０］
前記アップリンク許可メッセージはマルチ入力マルチ出力（ＭＩＭＯ）ダウンリンク制御情報（ＤＣＩ）メッセージを含む、Ｃ２９に記載の方法。
［Ｃ３１］
前記アップリンク許可メッセージは単一転送ブロック（ＴＢ）許可ダウンリンク制御情報（ＤＣＩ）メッセージを含む、Ｃ２９に記載の方法。
［Ｃ３２］
前記空間的にバンドルされた確認応答の１つがＮＡＫを含む場合、前記受信されたアップリンク許可メッセージにおいて指示された送信フォーマットを使用して対応するコードワードを再送信すること、
をさらに含む、Ｃ３１に記載の方法。
［Ｃ３３］
前記受信することは、複数の物理ハイブリッド自動再送要求（ＡＲＱ）インジケータチャネル（ＰＨＩＣＨ）において空間的にバンドルされた確認応答を含む前記ダウンリンクフィードバックメッセージを受信することを含む、Ｃ２７に記載の方法。
［Ｃ３４］
前記受信されたダウンリンクフィードバックメッセージに基づいて前記複数のコードワードのうちの少なくとも１つを再送信するか否かを判定すること、
をさらに含む、Ｃ２７に記載の方法。
［Ｃ３５］
付随するアップリンク許可メッセージを受信すること、
をさらに含む、Ｃ２９に記載の方法。
［Ｃ３６］
前記アップリンク許可メッセージは、マルチ入力マルチ出力（ＭＩＭＯ）ダウンリンク制御情報（ＤＣＩ）メッセージを含む、Ｃ３５に記載の方法。
［Ｃ３７］
前記アップリンク許可メッセージは、単一転送ブロック（ＴＢ）許可ダウンリンク制御情報（ＤＣＩ）メッセージを含む、Ｃ３５に記載の方法。
［Ｃ３８］
前記空間的にバンドルされた確認応答の１つがＮＡＫを含む場合、前記受信されたアップリンク許可メッセージにおいて指示された送信フォーマットを使用して対応するコードワードを再送信すること、
をさらに含む、Ｃ３７に記載の方法。
［Ｃ３９］
前記受信することは、複数の物理ハイブリッド自動再送要求（ＡＲＱ）インジケータチャネル（ＰＨＩＣＨ）において空間的にバンドルされた確認応答を含む前記ダウンリンクフィードバックメッセージを受信することを含む、Ｃ３３に記載の方法。
［Ｃ４０］
ワイヤレス通信装置であって、
複数のコードワードを送信するための手段と、
前記送信された複数のコードワードに対する空間的にバンドルされた確認応答を含むダウンリンクフィードバックメッセージを受信するための手段と、
を備える、装置。
［Ｃ４１］
前記受信されたダウンリンクフィードバックメッセージに基づいて前記複数のコードワードのうちの少なくとも１つを再送信するか否かを決定するための手段、
をさらに含む、Ｃ４０に記載の装置。
［Ｃ４２］
付随するアップリンク許可メッセージを受信するための手段、
をさらに含む、Ｃ４０に記載の装置。
［Ｃ４３］
前記アップリンク許可メッセージは、マルチ入力マルチ出力（ＭＩＭＯ）ダウンリンク制御情報（ＤＣＩ）メッセージを含む、Ｃ４２に記載の装置。
［Ｃ４４］
前記アップリンク許可メッセージは単一転送ブロック（ＴＢ）許可ダウンリンク制御情報（ＤＣＩ）メッセージを含む、Ｃ４２に記載の装置。
［Ｃ４５］
前記空間的にバンドルされた確認応答の１つがＮＡＫを含む場合、前記受信されたアップリンク許可メッセージにおいて指示された送信フォーマットを使用して対応するコードワードを再送信するための手段、
をさらに含む、Ｃ４４に記載の装置。
［Ｃ４６］
前記受信するための手段は、複数の物理ハイブリッド自動再送要求（ＡＲＱ）インジケータチャネル（ＰＨＩＣＨ）において空間的にバンドルされた確認応答を含む前記ダウンリンクフィードバックメッセージを受信するための手段を含む、Ｃ４０に記載の方法。
［Ｃ４７］
前記受信されたダウンリンクフィードバックメッセージに基づいて前記複数のコードワードのうちの少なくとも１つを再送信するか否かを判定するための手段、
をさらに含む、Ｃ４０に記載の装置。
［Ｃ４８］
付随するアップリンク許可メッセージを受信するための手段、
をさらに含む、Ｃ４２に記載の装置。
［Ｃ４９］
前記アップリンク許可メッセージは、マルチ入力マルチ出力（ＭＩＭＯ）ダウンリンク制御情報（ＤＣＩ）メッセージを含む、Ｃ４８に記載の装置。
［Ｃ５０］
前記アップリンク許可メッセージは、単一転送ブロック（ＴＢ）許可ダウンリンク制御情報（ＤＣＩ）メッセージを含む、Ｃ４８に記載の装置。
［Ｃ５１］
前記空間的にバンドルされた確認応答の１つがＮＡＫを含む場合、前記受信されたアップリンク許可メッセージにおいて指示された送信フォーマットを使用して対応するコードワードを再送信するための手段、
をさらに含む、Ｃ５０に記載の装置。
［Ｃ５２］
前記受信するための手段は、複数の物理ハイブリッド自動再送要求（ＡＲＱ）インジケータチャネル（ＰＨＩＣＨ）において空間的にバンドルされた確認応答を含む前記ダウンリンクフィードバックメッセージを受信することを含む、Ｃ４０に記載の装置。
［Ｃ５３］
コンピュータ実行可能命令を記憶するコンピュータ可読不揮発性記憶媒体を備えるコンピュータプログラム製品であって、前記命令は、
複数のコードワードを送信し、
前記送信された複数のコードワードに対する空間的にバンドルされた確認応答を含むダウンリンクフィードバックメッセージを受信する、
ためのコードを備える、
コンピュータプログラム製品。
［Ｃ５４］
ワイヤレス通信のためのプロセッサであって、
複数のコードワードを送信し、
前記送信された複数のコードワードに対する空間的にバンドルされた確認応答を含むダウンリンクフィードバックメッセージを受信する、
ように構成された、プロセッサ。
［Ｃ５５］
ワイヤレス通信方法であって、
第１のフィールドと第２のフィールドとを含む第１のメッセージを受信することと、
前記第１のメッセージ内の前記第１のフィールドと前記第２のフィールドとの値に基づいて、第１のコードワードと第２のコードワードとのうちの一方を送信することと、
を備える、方法。
［Ｃ５６］
第２のメッセージを受信すること、
をさらに含み、
前記第２のメッセージは、前記第１のコードワードと前記第２のコードワードのうちの前記一方が再送信されるべきか、または新たに送信されるべきかを、シグナリングする、
Ｃ５５に記載の方法。
［Ｃ５７］
前記第２のメッセージは、ダウンリンク制御情報（ＤＣＩ）フォーマット０メッセージを含む、Ｃ５６に記載の方法。
［Ｃ５８］
前記第２のメッセージ内の送信パラメータの値は、単一アンテナ送信モードを指示する、Ｃ５７に記載の方法。
［Ｃ５９］
前記第１のメッセージ内の前記第１のフィールドと前記第２のフィールドとにおいて同じ値が受信されるとき、以前使用されたプリコーダマトリクスを使用して前記第２のコードワードを送信すること、
をさらに含む、Ｃ５５に記載の方法。
［Ｃ６０］
ワイヤレス通信装置であって、
第１のフィールドと第２のフィールドとを含む第１のメッセージを受信するための手段と、
前記第１のメッセージ内の前記第１のフィールドと前記第２のフィールドとの値に基づいて、第１のコードワードと第２のコードワードとのうちの一方を送信するための手段と、
を備える、装置。
［Ｃ６１］
第２のメッセージを受信するための手段、
を更に含み、
前記第２のメッセージは、前記第１のコードワードと前記第２のコードワードのうちの前記一方が再送信されるべきか、または新たに送信されるべきかを、シグナリングする、
Ｃ６０に記載の装置。
［Ｃ６２］
前記第２のメッセージはダウンリンク制御情報（ＤＣＩ）フォーマット０メッセージを含む、Ｃ６１に記載の装置。
［Ｃ６３］
前記第２のメッセージ内の送信パラメータの値は、単一アンテナ送信モードを指示する、Ｃ６２に記載の装置。
［Ｃ６４］
前記第１のメッセージ内の前記第１のフィールドと前記第２のフィールドとにおいて同じ値が受信されるとき、以前使用されたプリコーダマトリクスを使用して前記第２のコードワードを送信するための手段、
をさらに含む、Ｃ６０に記載の装置。
［Ｃ６５］
コンピュータ実行可能命令を記憶するコンピュータ可読不揮発性記憶媒体を備えるコンピュータプログラム製品であって、前記命令は、
第１のフィールドと第２のフィールドとを含む第１のメッセージを受信し、
前記第１のメッセージ内の前記第１のフィールドと前記第２のフィールドとの値に基づいて、第１のコードワードと第２のコードワードとのうちの一方を送信する、
ためのコードを備える、
コンピュータプログラム製品。
［Ｃ６６］
ワイヤレス通信のためのプロセッサであって、
第１のフィールドと第２のフィールドとを含む第１のメッセージを受信し、
前記第１のメッセージ内の前記第１のフィールドと前記第２のフィールドとの値に基づいて、第１のコードワードと第２のコードワードとのうちの一方を送信する、
ように構成された、プロセッサ。
【図１】
0005642870.tif 000006
【図２】
0005642870.tif 000007
【図３】
0005642870.tif 000008
【図４】
0005642870.tif 000009
【図５】
0005642870.tif 000010
【図６】
0005642870.tif 000011
【図７】
0005642870.tif 000012
【図８】
0005642870.tif 000013
【図９】
0005642870.tif 000014
【図１０】
0005642870.tif 000015
【図１１】
0005642870.tif 000016
【図１２】
0005642870.tif 000017
【図１３】
0005642870.tif 000018